(57)【要約】【課題】部分的に特殊再生が行われる並行調理動画において、調理のイメージを認識しやすくなる情報処理装置を提供する。【解決手段】情報処理装置１０は、第１工程動画及び第２工程動画が等倍速で再生されるケースの各動画の再生が終了する順序である第１順序を取得する第１取得部２１と、各動画に含まれる重要シーンが第１再生倍率で再生され、非重要シーンが第２再生倍率で再生されるケースの各動画の再生が終了する順序である第２順序を取得する第２取得部２２と、第２順序が第１順序と異なる場合に、重要シーンが第１再生倍率で再生され、第１工程動画及び第２工程動画の一方の工程動画に含まれる非重要シーンが第３再生倍率で再生されるケースの各動画の再生が終了する順序が、第１順序と同じになる第３再生倍率を算出する算出部３１と、一方の工程動画に含まれる非重要シーンを第３再生倍率で再生させるための情報を出力する出力部３２と、を備える。【選択図】図１
2018196093.tif 000002
【特許請求の範囲】
【請求項１】
第１レシピ動画における第１工程動画の途中から第２レシピ動画における第２工程動画を並行して再生させる情報処理装置であって、
前記第１工程動画及び前記第２工程動画が等倍速で再生されるケースの前記第１工程動画及び前記第２工程動画の再生が終了する順序である第１順序を取得する第１取得部と、
前記第１工程動画及び前記第２工程動画に含まれる予め定められた重要シーンが予め定められた第１再生倍率で再生され、前記重要シーンを除く非重要シーンが前記第１再生倍率よりも大きい予め定められた第２再生倍率で再生される特殊再生のケースの前記第１工程動画及び前記第２工程動画の再生が終了する順序である第２順序を取得する第２取得部と、
前記第２順序が前記第１順序と異なる場合に、前記重要シーンが前記第１再生倍率で再生され、前記第１工程動画及び前記第２工程動画の一方の工程動画に含まれる前記非重要シーンが第３再生倍率で再生されるケースの前記第１工程動画及び前記第２工程動画の再生が終了する順序が、前記第１順序と同じになる当該第３再生倍率を算出する算出部と、
前記一方の工程動画に含まれる前記非重要シーンを前記第３再生倍率で再生させるための情報を出力する出力部と、を備える、
情報処理装置。
【請求項２】
前記一方の工程動画は、前記特殊再生のケースにおいて他方の工程動画よりも再生が早く終了する工程動画であり、
前記算出部は、前記第３再生倍率として、前記第２再生倍率よりも小さい倍率を算出する、
請求項１に記載の情報処理装置。
【請求項３】
前記算出部は、前記第２順序が前記第１順序と同じ場合に、前記特殊再生のケースにおける前記第１工程動画及び前記第２工程動画の一方の工程動画の再生が終了してから他方の工程動画の再生が終了するまでの間隔が、所定の時間よりも長いときには、前記重要シーンが前記第１再生倍率で再生され、前記他方の工程動画に含まれる前記非重要シーンが第４再生倍率で再生されるケースにおいて、前記間隔が前記所定の時間よりも短くなる当該第４再生倍率を算出し、
前記出力部は、前記他方の工程動画に含まれる前記非重要シーンを前記第４再生倍率で再生させるための情報を出力する、
請求項１に記載の情報処理装置。
【請求項４】
請求項１〜３のいずれか１項に記載の情報処理装置と、
前記情報処理装置と通信し、前記第１工程動画及び前記第２工程動画を表示する表示装置と、を備える、
情報処理システム。
【請求項５】
前記表示装置は、ユーザによる操作を受け付けるユーザインタフェースを備え、
前記ユーザインタフェースは、前記第１工程動画の再生時に当該第１工程動画の再生倍率に応じて移動する第１アイコンと、前記第２工程動画の再生時に当該第２工程動画の再生倍率に応じて移動する第２アイコンと、を備え、
前記第１アイコン及び前記第２アイコンは、前記第１工程動画及び前記第２工程動画が並行して再生されている際に、同期して移動する、
請求項４に記載の情報処理システム。
【請求項６】
同期して移動している前記第１アイコン及び前記第２アイコンの一方のアイコンの移動が前記ユーザによる操作によって停止した場合、他方のアイコンの移動は停止する、
請求項５に記載の情報処理システム。
【請求項７】
同期して移動している前記第１アイコン及び前記第２アイコンの一方のアイコンが前記ユーザによる操作によって移動させられた場合、他方のアイコンは、前記ユーザによる操作によって移動させられた前記一方のアイコンの移動量、前記一方のアイコンに対応する工程動画の再生倍率及び前記他方のアイコンに対応する工程動画の再生倍率に応じた移動量分移動する、
請求項５又は６に記載の情報処理システム。
【請求項８】
第１レシピ動画における第１工程動画の途中から第２レシピ動画における第２工程動画を並行して再生させる情報処理方法であって、
前記第１工程動画及び前記第２工程動画が等倍速で再生されるケースの前記第１工程動画及び前記第２工程動画の再生が終了する順序である第１順序を取得する第１取得ステップと、
前記第１工程動画及び前記第２工程動画に含まれる予め定められた重要シーンが予め定められた第１再生倍率で再生され、前記重要シーンを除く非重要シーンが前記第１再生倍率よりも大きい予め定められた第２再生倍率で再生される特殊再生のケースの前記第１工程動画及び前記第２工程動画の再生が終了する順序である第２順序を取得する第２取得ステップと、
前記第２順序が前記第１順序と異なる場合に、前記重要シーンが前記第１再生倍率で再生され、前記第１工程動画及び前記第２工程動画の一方の工程動画に含まれる前記非重要シーンが第３再生倍率で再生されるケースの前記第１工程動画及び前記第２工程動画の再生が終了する順序が、前記第１順序と同じになる当該第３再生倍率を算出する算出部と、
前記一方の工程動画に含まれる前記非重要シーンを前記第３再生倍率で再生させるための情報を出力する出力ステップと、を含む、
情報処理方法。
【発明の詳細な説明】
【技術分野】
【０００１】
本開示は、レシピ動画を再生するための情報処理装置、情報処理システム及び情報処理方法に関する。
【背景技術】
【０００２】
従来、レシピ動画を短時間で見せるために、レシピ動画の全体又は部分について早送り等の特殊再生をする技術が開示されている（例えば特許文献１〜３）。これにより、レシピ動画における重要シーン（例えば、人が手を使って調理をするシーン、調理工程の始めのシーン、又は、複雑な調理工程のシーン等）は、等倍速で再生して、重要シーンを除く非重要シーン（例えば、同じ動作が続くシーンのうちの始めのシーン以外のシーン、電子レンジ等を用いた調理工程のシーン、又は、鍋で茹でる調理工程のシーン等）は、倍速等で再生でき、短時間でレシピ動画を見せることができる。
【先行技術文献】
【特許文献】
【０００３】
【特許文献１】特開２００５−２４４４０４号公報
【特許文献２】特開平１０−３２２６４７号公報
【特許文献３】特開２００４−２８９６２９号公報
【発明の概要】
【発明が解決しようとする課題】
【０００４】
ところで、献立を完成させるための動画として、当該献立に含まれる複数のレシピの動画を並行して再生させる動画（並行調理動画とも呼ぶ）がある。例えば、当該献立に含まれる複数のレシピの動画を第１レシピ動画及び第２レシピ動画とすると、第１レシピ動画におけるある工程の動画（第１工程動画と呼ぶ）の途中から第２レシピ動画におけるある工程の動画（第２工程動画と呼ぶ）を並行して再生させることがある。なお、第２工程動画は、第１工程動画においてユーザの手が空くタイミング（例えば、電子レンジでの調理が始まるタイミング等）から再生される。これにより、ユーザは、並行調理動画を見ることで、献立を完成させるための調理の順序等の調理のイメージを認識できる。
【０００５】
しかしながら、並行調理動画において、従来技術に開示されているように、部分的に早送り等の特殊再生をする場合、等倍速で再生されたときと比べて、第１工程動画及び第２工程動画の再生が終了する順序が変わってしまうことがある。この場合、献立を完成させるための各工程がどのタイミングで終わるのかがわかりにくくなるため、ユーザは、調理のイメージを認識することが難しくなる。
【０００６】
本開示は、上記の課題を解決するためになされたものであり、部分的に特殊再生が行われる並行調理動画において、調理のイメージを認識しやすくなる情報処理装置、情報処理システム及び情報処理方法を提供することを目的とするものである。
【課題を解決するための手段】
【０００７】
本開示の一態様に係る情報処理装置は、第１レシピ動画における第１工程動画の途中から第２レシピ動画における第２工程動画を並行して再生させる情報処理装置であって、前記第１工程動画及び前記第２工程動画が等倍速で再生されるケースの前記第１工程動画及び前記第２工程動画の再生が終了する順序である第１順序を取得する第１取得部と、前記第１工程動画及び前記第２工程動画に含まれる予め定められた重要シーンが予め定められた第１再生倍率で再生され、前記重要シーンを除く非重要シーンが前記第１再生倍率よりも大きい予め定められた第２再生倍率で再生される特殊再生のケースの前記第１工程動画及び前記第２工程動画の再生が終了する順序である第２順序を取得する第２取得部と、前記第２順序が前記第１順序と異なる場合に、前記重要シーンが前記第１再生倍率で再生され、前記第１工程動画及び前記第２工程動画の一方の工程動画に含まれる前記非重要シーンが第３再生倍率で再生されるケースの前記第１工程動画及び前記第２工程動画の再生が終了する順序が、前記第１順序と同じになる当該第３再生倍率を算出する算出部と、前記一方の工程動画に含まれる前記非重要シーンを前記第３再生倍率で再生させるための情報を出力する出力部と、を備える。
【０００８】
なお、これらの包括的又は具体的な側面は、システム、装置、方法、記録媒体、又は、コンピュータプログラムで実現されてもよく、システム、装置、方法、記録媒体、及び、コンピュータプログラムの任意な組み合わせで実現されてもよい。
【発明の効果】
【０００９】
本開示の一態様に係る情報処理装置、情報処理システム及び情報処理方法によれば、部分的に特殊再生が行われる並行調理動画において、調理のイメージを認識しやすくなる。
【図面の簡単な説明】
【００１０】
【図１】図１は、実施の形態における情報処理システムの構成の一例を示す図である。
【図２】図２は、実施の形態における情報処理システムの動作の一例を示すシーケンス図である。
【図３】図３は、実施の形態における情報処理装置の動作の一例を示すフローチャートである。
【図４Ａ】図４Ａは、献立の一例を示す図である。
【図４Ｂ】図４Ｂは、レシピ（Ａ）の一例を示す図である。
【図４Ｃ】図４Ｃは、レシピ（Ｂ）の一例を示す図である。
【図５Ａ】図５Ａは、特殊再生（第１特殊再生）のケースの第２順序を説明するための図である。
【図５Ｂ】図５Ｂは、第１工程（１）の作業（３）の動画が第３再生倍率で再生されるケースの各動画の再生が終了する順序を説明するための図である。
【図５Ｃ】図５Ｃは、第１工程（１）の動画がユーザにより一時停止又は再生位置の変更がされたときの各動画の再生が終了する順序を説明するための図である。
【図６】図６は、表示装置の表示画面の一例を示す図である。
【図７Ａ】図７Ａは、表示装置の表示画面の他の一例を示す図である。
【図７Ｂ】図７Ｂは、ユーザによって操作されている表示画面の一例を示す図である。
【図８】図８は、表示装置の表示画面の他の一例を示す図である。
【発明を実施するための形態】
【００１１】
本開示の情報処理装置は、第１レシピ動画における第１工程動画の途中から第２レシピ動画における第２工程動画を並行して再生させる情報処理装置であって、前記第１工程動画及び前記第２工程動画が等倍速で再生されるケースの前記第１工程動画及び前記第２工程動画の再生が終了する順序である第１順序を取得する第１取得部と、前記第１工程動画及び前記第２工程動画に含まれる予め定められた重要シーンが予め定められた第１再生倍率で再生され、前記重要シーンを除く非重要シーンが前記第１再生倍率よりも大きい予め定められた第２再生倍率で再生される特殊再生のケースの前記第１工程動画及び前記第２工程動画の再生が終了する順序である第２順序を取得する第２取得部と、前記第２順序が前記第１順序と異なる場合に、前記重要シーンが前記第１再生倍率で再生され、前記第１工程動画及び前記第２工程動画の一方の工程動画に含まれる前記非重要シーンが第３再生倍率で再生されるケースの前記第１工程動画及び前記第２工程動画の再生が終了する順序が、前記第１順序と同じになる当該第３再生倍率を算出する算出部と、前記一方の工程動画に含まれる前記非重要シーンを前記第３再生倍率で再生させるための情報を出力する出力部と、を備える。
【００１２】
ユーザは、部分的に特殊再生（早送り再生等）が行われたときの並行調理動画であって、第１工程動画及び第２工程動画の再生が終了する順序が、等倍速で再生されたケースの第１工程動画及び第２工程動画の再生が終了する順序（つまり、実際の各調理工程の終了する順序）と異なる並行調理動画を見た場合、調理のイメージを認識しづらいことがある。これに対して、本開示では、特殊再生のケース（例えば第１特殊再生のケースとも呼ぶ）に第２順序が第１順序と異なる場合には、第１工程動画及び第２工程動画の一方の工程動画に含まれる非重要シーンの再生倍率として第３再生倍率が算出される。第３再生倍率は、重要シーンが第１再生倍率で再生され、当該一方の工程動画に含まれる非重要シーンが第３再生倍率で再生されるケース（例えば第２特殊再生のケースとも呼ぶ）の、第１工程動画及び第２工程動画の再生が終了する順序が第１順序と同じになる再生倍率である。つまり、第２特殊再生のケースの、第１工程動画及び第２工程動画の再生が終了する順序が第１順序と同じになるように当該一方の工程動画に含まれる非重要シーンの再生時間が調整される。これにより、ユーザは献立を完成させるための各工程がどのタイミングで終わるのかがわかりやすくなり、部分的に特殊再生が行われる並行調理動画において、調理のイメージを認識しやすくなる。
【００１３】
また、前記一方の工程動画は、前記特殊再生のケースにおいて他方の工程動画よりも再生が早く終了する工程動画であり、前記算出部は、前記第３再生倍率として、前記第２再生倍率よりも小さい倍率を算出してもよい。
【００１４】
特殊再生のケースの第２順序が第１順序と異なる場合に、特殊再生のケースの第１工程動画及び第２工程動画の再生が終了する順序を第１順序と同じ順序にするためには、再生が早く終了する工程動画に含まれる非重要シーンの再生速度を遅くするか、又は、再生が遅く終了する工程動画に含まれる非重要シーンの再生速度を速くすることが考えられる。しかし、再生速度を速くした場合、動画の内容がわかりにくくなるおそれがある。そこで、再生が早く終了する工程動画に含まれる非重要シーンの再生速度を遅くすることで、再生が終了する順序を第１順序と同じにしつつ、動画の内容がわかりにくくなることを抑制できる。
【００１５】
また、前記算出部は、前記第２順序が前記第１順序と同じ場合に、前記特殊再生のケースにおける前記第１工程動画及び前記第２工程動画の一方の工程動画の再生が終了してから他方の工程動画の再生が終了するまでの間隔が、所定の時間よりも長いときには、前記重要シーンが前記第１再生倍率で再生され、前記他方の工程動画に含まれる前記非重要シーンが第４再生倍率で再生されるケースにおいて、前記間隔が前記所定の時間よりも短くなる当該第４再生倍率を算出し、前記出力部は、前記他方の工程動画に含まれる前記非重要シーンを前記第４再生倍率で再生させるための情報を出力してもよい。
【００１６】
当該間隔が長い場合、並行調理動画に含まれる当該他方の工程動画の再生が終了するのを待つ必要があるが、本開示では、当該間隔が所定の時間よりも短くなるように当該他方の工程動画に含まれる非重要シーンの再生速度を速くするため、当該他方の工程動画の再生が終了するまでの待ち時間を短くすることができる。
【００１７】
また、本開示の情報処理システムは、上記の情報処理装置と、前記情報処理装置と通信し、前記第１工程動画及び前記第２工程動画を表示する表示装置と、を備える。
【００１８】
これによれば、調理のイメージを認識しやすくなる情報処理システムを提供できる。
【００１９】
また、前記表示装置は、ユーザによる操作を受け付けるユーザインタフェースを備え、前記ユーザインタフェースは、前記第１工程動画の再生時に当該第１工程動画の再生倍率に応じて移動する第１アイコンと、前記第２工程動画の再生時に当該第２工程動画の再生倍率に応じて移動する第２アイコンと、を備え、前記第１アイコン及び前記第２アイコンは、前記第１工程動画及び前記第２工程動画が並行して再生されている際に、同期して移動してもよい。例えば、同期して移動している前記第１アイコン及び前記第２アイコンの一方のアイコンの移動が前記ユーザによる操作によって停止した場合、他方のアイコンの移動は停止してもよい。また、例えば、同期して移動している前記第１アイコン及び前記第２アイコンの一方のアイコンが前記ユーザによる操作によって移動させられた場合、他方のアイコンは、前記ユーザによる操作によって移動させられた前記一方のアイコンの移動量、前記一方のアイコンに対応する工程動画の再生倍率及び前記他方のアイコンに対応する工程動画の再生倍率に応じた移動量分移動してもよい。
【００２０】
第１アイコンと第２アイコンとは、同期して移動し、一方のアイコンが停止させられた場合、それに応じて他方のアイコンも停止する。また、一方のアイコンがユーザによって移動（例えばバー移動）させられた場合、それに応じて他方のアイコンも移動する。このときの他方のアイコンは、一方のアイコンの移動量、一方のアイコンに対応する工程動画の再生倍率及び他方のアイコンに対応する工程動画の再生倍率に応じた移動量分移動する。具体的には、一方のアイコンの移動量及び一方のアイコンに対応する工程動画の再生倍率に基づいて移動させられた時間が算出され、当該時間と他方のアイコンに対応する工程動画の再生倍率に基づいて他方のアイコンの移動量が算出される。したがって、ユーザは、並行して再生されている第１レシピ動画及び第２レシピ動画の一方に対応するアイコンを操作することで、他方に対応するアイコンも操作することができる。
【００２１】
また、本開示の情報処理方法は、第１レシピ動画における第１工程動画の途中から第２レシピ動画における第２工程動画を並行して再生させる情報処理方法であって、前記第１工程動画及び前記第２工程動画が等倍速で再生されるケースの前記第１工程動画及び前記第２工程動画の再生が終了する順序である第１順序を取得する第１取得ステップと、前記第１工程動画及び前記第２工程動画に含まれる予め定められた重要シーンが予め定められた第１再生倍率で再生され、前記重要シーンを除く非重要シーンが前記第１再生倍率よりも大きい予め定められた第２再生倍率で再生される特殊再生のケースの前記第１工程動画及び前記第２工程動画の再生が終了する順序である第２順序を取得する第２取得ステップと、前記第２順序が前記第１順序と異なる場合に、前記重要シーンが前記第１再生倍率で再生され、前記第１工程動画及び前記第２工程動画の一方の工程動画に含まれる前記非重要シーンが第３再生倍率で再生されるケースの前記第１工程動画及び前記第２工程動画の再生が終了する順序が、前記第１順序と同じになる当該第３再生倍率を算出する算出部と、前記一方の工程動画に含まれる前記非重要シーンを前記第３再生倍率で再生させるための情報を出力する出力ステップと、を含む。
【００２２】
これによれば、調理のイメージを認識しやすくなる情報処理方法を提供できる。
【００２３】
なお、以下で説明する実施の形態は、いずれも包括的または具体的な例を示すものである。以下の実施の形態で示される数値、形状、構成要素、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００２４】
（実施の形態）
［１．情報処理システムの構成］
図１は、実施の形態における情報処理システム１の構成の一例を示す図である。
【００２５】
情報処理システム１は、複数のレシピ動画を並行して再生するためのシステムである。レシピ動画とは、例えば、調理風景の撮影によって得られる動画であり、ユーザの調理を補助するための動画である。情報処理システム１は、献立（複数のレシピの組み合わせ）に含まれる複数のレシピのレシピ動画を並行して再生するためのシステムである。並行して再生される複数のレシピ動画をまとめて並行調理動画とも呼ぶ。複数のレシピ動画を例えば第１レシピ動画及び第２レシピ動画とすると、第１レシピ動画におけるある工程の動画（第１工程動画と呼ぶ）の途中から第２レシピ動画におけるある工程の動画（第２工程動画と呼ぶ）が並行して再生される。ユーザは、並行調理動画を見ることで、献立を完成させるための調理の順序等の調理のイメージを認識できる。情報処理システム１は、情報処理装置１０及び表示装置１００を備える。情報処理装置１０と表示装置１００とは、例えば、ネットワーク３００を介して通信可能に無線又は有線で接続される。
【００２６】
表示装置１００は、プロセッサ（マイクロプロセッサ）、メモリ、通信インタフェース（通信回路等）、ユーザインタフェース等を含むコンピュータであり、並行調理動画を再生する装置である。メモリは、ＲＯＭ、ＲＡＭ等であり、例えば不揮発性メモリを含んでいてもよい。ユーザインタフェースは、例えば、ＬＣＤ（Ｌｉｑｕｉｄ  Ｃｒｙｓｔａｌ  Ｄｉｓｐｌａｙ）等のディスプレイ、及び、キーボード、タッチパネル等の入力装置を含む。プロセッサは、メモリに格納されたプログラムを実行することにより通信インタフェース、ディスプレイ等を制御する処理を行う。メモリには、プロセッサにその処理を実行させるためのプログラムが格納されている。表示装置１００は、例えば、スマートフォン、タブレット等の携帯端末又はＰＣ（Ｐｅｒｓｏｎａｌ  Ｃｏｍｐｕｔｅｒ）等である。表示装置１００は、献立表示選択部１１０、再生指示入力部１２０、動画表示部１３０及び通信部１４０を備える。献立表示選択部１１０、再生指示入力部１２０、及び、動画表示部１３０は、例えば、メモリに記憶されたプログラムを実行するプロセッサ等により実現されるが、マイクロコンピュータ又は専用回路等により実現されてもよい。
【００２７】
献立表示選択部１１０は、入力装置、ディスプレイ（タッチパネルディスプレイ）等によって実現されるユーザインタフェースを介して、ユーザに献立を選択させるための情報を提示し選択された献立を、通信部１４０を介して情報処理装置１０に送信する。再生指示入力部１２０は、ユーザインタフェースを介して、再生している動画の一時停止、早送り、巻き戻し、スキップ等の操作を受け付ける。動画表示部１３０は、ユーザインタフェースに並行調理動画を表示して再生する。なお、動画表示部１３０は、再生指示入力部１２０が受け付けた操作に応じて並行調理動画を一時停止、早送り、巻き戻し、スキップ等する。通信部１４０は、表示装置１００が情報処理装置１０と通信するための通信インタフェースである。
【００２８】
情報処理装置１０は、プロセッサ（マイクロプロセッサ）、メモリ、通信インタフェース（通信回路等）等を含むコンピュータであり、例えば表示装置１００に対して、第１レシピ動画における第１工程動画の途中から第２レシピ動画における第２工程動画を並行して再生させるための装置である。メモリは、ＲＯＭ、ＲＡＭ等であり、例えば不揮発性メモリを含んでいてもよい。プロセッサは、メモリに格納されたプログラムを実行することにより並行調理動画を再生させるための情報を生成し、通信インタフェース等を制御して当該情報を送信する処理を行う。メモリには、プロセッサにその処理を実行させるためのプログラムが格納されている。情報処理装置１０は、例えば、サーバ装置であるが、住宅等の施設に設置されるＰＣ等であってもよい。情報処理装置１０は、レシピ単位メタ生成部２０、並行調理メタ生成部３０、献立・レシピ管理部４０、レシピ動画管理部５０、通信部６０、レシピ情報データベース（ＤＢ）７０及びレシピ動画ＤＢ８０を備える。レシピ単位メタ生成部２０、並行調理メタ生成部３０、献立・レシピ管理部４０、及び、レシピ動画管理部５０は、例えば、メモリに記憶されたプログラムを実行するプロセッサ等により実現されるが、マイクロコンピュータ又は専用回路等により実現されてもよい。
【００２９】
レシピ情報ＤＢ７０には、様々な献立及び各献立に含まれる各レシピに関する献立情報が記憶されている。具体的には、献立情報には、各献立に含まれる各レシピのレシピ名、各レシピを記号化したレシピ記号、各レシピに含まれる作業内容、各作業の作業時間、各作業に含まれる重要シーン及び非重要シーンの始まるタイミング、時間等が含まれる。なお、重要シーンとは、人が手を使って調理をするシーン、調理工程の始まりのシーン、又は、複雑な調理工程のシーン等である。非重要シーンは、重要シーンを除くシーンであり、例えば、同じ動作が続くシーンのうちの始めのシーン以外のシーン、電子レンジ等を用いた調理工程のシーン、又は、鍋で茹でる調理工程のシーン等である。また、献立情報には、各レシピの各作業に含まれる重要シーン及び非重要シーンの予め定められた再生倍率が含まれる。重要シーンの予め定められた再生倍率を第１再生倍率と呼び、非重要シーンの予め定められた再生倍率を第２再生倍率と呼ぶ。また、献立情報には、献立に含まれるどの調理レシピのどの調理工程から他の調理レシピのどの調理工程を並行して始めるかについての情報が含まれている。例えば、献立情報には、第１レシピのどの調理工程から第２レシピのどの調理工程を並行して始めるかについての情報が含まれている。レシピ情報ＤＢ７０に記憶されている献立情報の詳細については、後述する図４Ａ〜図４Ｃで説明する。
【００３０】
献立・レシピ管理部４０は、表示装置１００が備える献立表示選択部１１０によって選択された献立に対応する献立情報をレシピ情報ＤＢ７０から取得する。献立・レシピ管理部４０が取得した献立情報は、通信部６０を介して表示装置１００に送信される。また、当該献立情報は、レシピ単位メタ生成部２０及び並行調理メタ生成部３０での処理に用いられる。
【００３１】
レシピ動画ＤＢ８０には、各レシピの動画が記憶されている。レシピ動画ＤＢ８０に記憶されているレシピ動画は、レシピ情報ＤＢ７０に記憶されている献立情報と対応している。例えば、献立情報に、第１レシピの第１工程の作業時間が１００秒という情報が含まれている場合、レシピ動画ＤＢ８０に記憶されている第１レシピに対応する第１レシピ動画に含まれる第１工程動画の等倍速での再生時間は１００秒となっている。
【００３２】
レシピ動画管理部５０は、表示装置１００が備える献立表示選択部１１０によって選択された献立に対応するレシピ動画をレシピ動画ＤＢ８０から取得する。レシピ動画管理部５０が取得したレシピ動画は、通信部６０を介して表示装置１００に送信される。
【００３３】
レシピ単位メタ生成部２０は、献立・レシピ管理部４０が取得した献立情報に基づいて、当該献立情報に含まれる各レシピの動画のメタデータを生成する。なお、レシピ単位メタ生成部２０は、第１取得部２１及び第２取得部２２を備える。第１取得部２１は、第１工程動画及び第２工程動画が等倍速で再生されるケースの第１工程動画及び第２工程動画の再生が終了する順序である第１順序を取得する。第２取得部２２は、第１工程動画及び第２工程動画に含まれる予め定められた重要シーンが予め定められた第１再生倍率で再生され、重要シーンを除く非重要シーンが第１再生倍率よりも大きい予め定められた第２再生倍率で再生される特殊再生のケース（第１特殊再生のケースとも呼ぶ）の第１工程動画及び第２工程動画の再生が終了する順序である第２順序を取得する。レシピ単位メタ生成部２０、第１取得部２１及び第２取得部２２の動作の詳細については、後述する図３等で説明する。
【００３４】
並行調理メタ生成部３０は、並行調理動画に関する並行調理動画メタデータを生成する。例えば、並行調理動画メタデータには、後述する算出部３１が算出した第３再生倍率や第４再生倍率で非重要シーンを再生させるためのメタデータが含まれる。
【００３５】
なお、並行調理メタ生成部３０は、算出部３１及び出力部３２を備える。算出部３１は、第２順序が第１順序と異なる場合に、重要シーンが第１再生倍率で再生され、第１工程動画及び第２工程動画の一方の工程動画に含まれる非重要シーンが第３再生倍率で再生されるケースの第１工程動画及び第２工程動画の再生が終了する順序が、第１順序と同じになる第３再生倍率を算出する。また、算出部３１は、第２順序が第１順序と同じ場合に、特殊再生（第１特殊再生）のケースの第１工程動画及び第２工程動画の一方の工程動画の再生が終了してから他方の工程動画の再生が終了するまでの間隔が、所定の時間よりも長いときには、重要シーンが第１再生倍率で再生され、他方の工程動画に含まれる非重要シーンが第４再生倍率で再生されるケースに、当該間隔が当該所定の時間よりも短くなる第４再生倍率を算出する。算出部３１の動作の詳細については、後述する図３等で説明する。出力部３２は、第１工程動画及び第２工程動画の一方の工程動画に含まれる非重要シーンを第３再生倍率で再生させるための情報（メタデータ）、又は、他方の工程動画に含まれる非重要シーンを第４再生倍率で再生させるための情報（メタデータ）を、通信部６０を介して表示装置１００に出力する。
【００３６】
通信部６０は、情報処理装置１０が表示装置１００と通信するための通信インタフェースである。
【００３７】
［２．情報処理システムの動作］
次に、情報処理システム１の動作について説明する。
【００３８】
図２は、実施の形態における情報処理システム１の動作の一例を示すシーケンス図である。
【００３９】
まず、表示装置１００（献立表示選択部１１０）は、ユーザにより選択された献立を情報処理装置１０に送信する（ステップＳ１１）。例えば、表示装置１００は、表示装置１００のディスプレイに献立の一覧を表示し、その中からユーザに選択（例えばタップやクリックにより選択）された献立を情報処理装置に１０に送信する。なお、献立の一覧は、表示装置１００に予め記憶されていてもよいし、情報処理装置１０等のサーバ装置から取得されてもよい。情報処理装置１０は、表示装置１００から送信された献立を受信する。本実施の形態では、ユーザに選択された献立には、第１レシピ及び第２レシピが含まれているとする。
【００４０】
情報処理装置１０（献立・レシピ管理部４０）は、受信した献立に対応する献立情報をレシピ情報ＤＢ７０から取得する（ステップＳ１２）。当該献立情報には、例えば、受信した献立に含まれる各レシピ（第１レシピ及び第２レシピ）のレシピ名、各レシピを記号化したレシピ記号、各レシピに含まれる作業内容、各作業の作業時間、各作業に含まれる重要シーン及び非重要シーンの始まるタイミング、時間、再生倍率（第１再生倍率及び第２再生倍率）、第１レシピのどの調理工程から第２レシピのどの調理工程を並行して始めるかについての情報等が含まれる。
【００４１】
情報処理装置１０（献立・レシピ管理部４０）は、表示装置１００に献立情報を送信する（ステップＳ１３）。表示装置１００に送信される献立情報には、上述した情報が全て含まれていなくてもよく、例えば、各レシピ名や各レシピに含まれる作業内容、各作業の作業時間等の献立の概要がわかる情報が含まれていればよい。表示装置１００は、情報処理装置１０から送信された献立情報を受信する。
【００４２】
表示装置１００（献立表示選択部１１０）は、受信した献立情報をディスプレイに表示し、例えば、当該献立を完成するための並行調理動画を再生するか否かをユーザに選択させることを促す表示をする。ユーザが並行調理動画を再生することを選択した場合、表示装置１００は、並行調理動画の再生を情報処理装置１０に要求する（ステップＳ１４）。情報処理装置１０は、当該要求を受信する。
【００４３】
情報処理装置１０（レシピ動画管理部５０）は、献立・レシピ管理部４０が取得した献立に対応するレシピ動画を取得する（ステップＳ１５）。例えば、情報処理装置１０は、第１レシピに関する第１レシピ動画及び第２レシピに関する第２レシピ動画を取得する。
【００４４】
次に、情報処理装置１０（レシピ単位メタ生成部２０）は、献立情報に基づいて、レシピ毎のメタデータ（レシピ単位メタデータとも呼ぶ）を生成する（ステップＳ１６）。例えば、情報処理装置１０は、レシピ単位メタデータとして、第１レシピ動画及び第２レシピ動画それぞれのメタデータを生成する。例えば、第１レシピ動画のメタデータには、第１レシピ動画に含まれる第１工程動画における重要シーンの始まるタイミング、時間及び第１再生倍率に応じて、第１工程動画に含まれる重要シーンを当該タイミングから当該時間の間、第１再生倍率で再生させるためのメタデータが含まれる。同様に、第１レシピ動画のメタデータには、第１レシピ動画に含まれる第１工程動画における非重要シーンの始まるタイミング及び時間及び第２再生倍率に応じて、第１工程動画に含まれる非重要シーンを当該タイミングから当該時間の間、第２再生倍率で再生させるためのメタデータが含まれる。このようにして、レシピ単位メタ生成部２０は、レシピ単位メタデータを生成する。なお、レシピ単位メタデータは、献立情報に基づいて予め生成しておくこともできるため、レシピ情報ＤＢ７０等に予め記憶されていてもよい。
【００４５】
次に、情報処理装置１０は、並行調理動画のメタデータ（並行調理動画メタデータとも呼ぶ）を生成する（ステップＳ１７）。ステップＳ１７での処理については、後述する図３で詳細に説明する。
【００４６】
そして、情報処理装置１０は、生成した並行調理動画メタデータを表示装置１００に送信する（ステップＳ１８）。なお、このとき、情報処理装置１０は、レシピ動画管理部５０が取得したレシピ動画（第１レシピ動画及び第２レシピ動画）も送信する。表示装置１００は、情報処理装置１０から送信された並行調理動画メタデータ及びレシピ動画を受信する。
【００４７】
そして、表示装置１００は、受信した並行調理動画メタデータに基づいて、第１レシピ動画及び第２レシピ動画を並行して再生する、つまり、並行調理動画を再生する（ステップＳ１９）。なお、並行調理動画メタデータには、各レシピ動画が記憶されているアドレス等に関する情報が含まれていてもよい。したがって、ステップＳ１８でレシピ動画が送信されたが、この時点で送信されなくてもよく、例えば、表示装置１００は、並行調理動画メタデータを参照することで、各レシピ動画が記憶されているアドレス等に対して、各レシピ動画を送信することを要求し、各レシピ動画を取得（受信）してもよい。
【００４８】
次に、ステップＳ１７での処理について、図３を用いて説明する。
【００４９】
図３は、実施の形態における情報処理装置１０の動作の一例を示すフローチャートである。図３は、ステップＳ１７での処理の具体例を示している。
【００５０】
まず、レシピ単位メタ生成部２０が備える第１取得部２１は、等倍速で再生されるケースの第１工程動画及び第２工程動画の再生が終了する順序である第１順序を取得する（ステップＳ２１）。例えば、第１順序は、献立情報に含まれる各作業の作業時間、及び、第１レシピのどの調理工程から第２レシピのどの調理工程を並行して始めるかについての情報に基づいて算出される。
【００５１】
次に、レシピ単位メタ生成部２０が備える第２取得部２２は、特殊再生（第１特殊再生）のケースの第１工程動画及び第２工程動画の再生が終了する順序である第２順序を取得する（ステップＳ２２）。例えば、第２順序は、献立情報に含まれる各作業の作業時間、第１レシピのどの調理工程から第２レシピのどの調理工程を並行して始めるかについての情報、各作業に含まれる重要シーン及び非重要シーンの始まるタイミング、時間、第１再生倍率及び第２再生倍率に基づいて算出される。
【００５２】
ここで、献立情報の具体例を用いて、第１順序及び第２順序について説明する。図４Ａ〜図４Ｃは、献立情報の一例を示す図である。
【００５３】
図４Ａは、献立の一例を示す図である。図４Ｂは、レシピ（Ａ）の一例を示す図である。図４Ｃは、レシピ（Ｂ）の一例を示す図である。
【００５４】
図４Ａに示されるように、ユーザによって選択された献立が献立（Ａ）とすると、献立（Ａ）に関する献立情報には、第１レシピのレシピ名として「パンプキングラタン」と、第２レシピのレシピ名として「里芋とイカの煮物」が含まれる。また、第１レシピのレシピ記号として「レシピ（Ａ）」と、第２レシピのレシピ記号として「レシピ（Ｂ）」が含まれる。なお、以下では、第１レシピをレシピ（Ａ）とも呼び、第２レシピをレシピ（Ｂ）とも呼ぶ。
【００５５】
図４Ｂには、献立情報に含まれるレシピ（Ａ）に関する情報が示される。図４Ｃには、献立情報に含まれるレシピ（Ｂ）に関する情報が示される。なお、説明のために各図には、各作業が並行して調理が可能であるか否かを示す情報を示している。第１レシピのどの調理工程から第２レシピのどの調理工程を並行して始めるかについての情報は、例えば各作業が並行して調理が可能であるか否かを示す情報に基づいて予め生成される。
【００５６】
図４Ｂには、レシピ（Ａ）に含まれる調理工程のうち、１番目の工程である第１工程（１）と２番目の工程である第１工程（２）が示される。図４Ｃには、レシピ（Ｂ）に含まれる調理工程のうち、１番目の工程である第２工程（１）と２番目の工程である第２工程（２）が示される。なお、以下では、第１工程（１）に含まれる作業（１）から作業（３）に着目して説明し、レシピ（Ａ）に含まれる第１工程（２）、並びに、レシピ（Ｂ）に含まれる第２工程（１）及び第２工程（２）についての詳細は、説明を省略する。
【００５７】
第１工程（１）の作業（１）は、玉ねぎを薄切りにする作業であり、作業時間は１００秒となっている。当該作業は、当該作業の間、人が手を使う作業であり他の作業をすることができないため、並行調理の可否は不可となっている。つまり、この作業中には、レシピ（Ｂ）に含まれる調理工程を行うことができないことを示している。また、作業（１）のうち０〜２０秒は重要シーンとなっている。また、図４Ｂには示されていないが、作業（１）のうち重要シーンを除く非重要シーンは２１〜１００秒となる。作業（１）を示す動画は、玉ねぎを薄切りにする作業を示すシーンが１００秒間続くため、例えば、始めの２０秒間を重要シーンとし、残りの８０秒間を非重要シーンとしている。
【００５８】
第１工程（１）の作業（２）は、薄切りにした玉ねぎを耐熱容器に入れる作業であり、作業時間は２０秒となっている。当該作業は、当該作業の間、人が手を使う作業であり他の作業をすることができないため、並行調理の可否は不可となっている。また、作業（２）は、単に薄切りにした玉ねぎを耐熱容器に入れるだけの作業であり、調理技術を必要とするものではないため、作業（２）には重要シーンがなく、全て非重要シーンとなっている。
【００５９】
第１工程（１）の作業（３）は、耐熱容器に入れた玉ねぎを電子レンジで約３分加熱する作業であり、作業時間は１８０秒となっている。なお、第１工程（１）が終了したことをユーザに通知するために、作業（３）を示す動画の最後に第１工程（１）が終了したことを示す終了画像が２秒流れる。当該作業は、当該作業の間、人が手を使わない作業であり他の作業をすることができるため、並行調理の可否は可能となっている。つまり、この作業中には、レシピ（Ｂ）に含まれる調理工程を行うことができることを示している。したがって、第１レシピ（レシピ（Ａ））のどの調理工程から第２レシピ（レシピ（Ｂ））のどの調理工程を並行して始めるかについての情報として、例えば、レシピ（Ａ）の第１工程（１）の作業（３）からレシピ（Ｂ）の第２工程（１）の作業（１）を並行して始めることを示す情報が献立情報に含まれる。作業（３）は、単に玉ねぎを電子レンジで加熱するだけの作業であり、調理技術を必要とするものではないため、作業（３）のうち電子レンジで加熱する作業には重要シーンがない。また、終了画像が流れる２秒間を重要シーンとしている。
【００６０】
ここで、第１工程動画及び第２工程動画が等倍速で再生されたときの第１順序について説明する。第１工程（１）を示す動画（第１工程動画とも呼ぶ）が等倍速で再生された場合、第１工程動画の再生時間は、３０２秒となる。一方、第２工程（１）を示す動画（第２工程動画とも呼ぶ）が等倍速で再生された場合、第２工程動画の再生時間は、１８０秒となる。第２工程動画は、第１工程動画の作業（３）と並行して再生される、言い換えると、第１工程動画の作業（２）の終了後に再生されるため、第２工程動画の再生が終了するタイミングは、第１工程動画の再生が開始してから３００秒（１２０＋１８０秒）後となる。したがって、第１順序は、第２工程動画の再生が終了してから第１工程動画の再生が終了する順序となる。
【００６１】
次に、特殊再生（第１特殊再生）のケースの第２順序について説明する。例えば、第１再生倍率を１倍、第２再生倍率を２倍とする。この場合、第１工程（１）の作業（１）の再生時間は、２０÷１＝２０秒（重要シーン）と、８０÷２＝４０秒（非重要シーン）との合計６０秒となる。第１工程（１）の作業（２）の再生時間は、２０÷２＝１０秒（非重要シーン）となる。第１工程（１）の作業（３）の再生時間は、１８０÷２＝９０秒（非重要シーン）と、２÷１＝２秒（重要シーン）との合計９２秒となる。したがって、特殊再生（第１特殊再生）のケースの第１工程動画の再生が終了するタイミングは、第１工程動画の再生が開始してから１６２秒後となる。一方、特殊再生（第１特殊再生）のケースの第２工程（１）の再生時間は、２０÷１＝２０秒（重要シーン）と、１６０÷２＝８０秒（非重要シーン）との合計１００秒となる。第２工程動画は、第１工程動画の作業（２）の終了後に再生されるため、第２工程動画の再生が終了するタイミングは、第１工程動画の再生が開始してから１７０秒（７０＋１００秒）後となる。したがって、第２順序は、第１工程動画の再生が終了してから第２工程動画の再生が終了する順序となる。
【００６２】
図５Ａは、特殊再生（第１特殊再生）のケースの第２順序を説明するための図である。等倍速再生のケースの第１順序は、第２工程動画の再生が終了してから第１工程動画の再生が終了する順序であったが、各動画に含まれる非重要シーンが第２再生倍率（例えば２倍）で再生される場合には、図５Ａに示されるように、第２順序は、第１工程動画の再生が終了してから第２工程動画の再生が終了する順序となっている。つまり、本実施の形態では、第２順序は、第１順序と異なっている。
【００６３】
第１取得部２１及び第２取得部２２は、このようにして算出された第１順序及び第２順序を取得する。
【００６４】
次に、並行調理メタ生成部３０が備える算出部３１は、第２取得部２２が取得した第２順序が、第１取得部２１が取得した第１順序と異なるか否かを判定する（ステップＳ２３）。上述したように、本実施の形態では、第１順序は、第２工程動画の再生が終了してから第１工程動画の再生が終了する順序であり、第２順序は、第１工程動画の再生が終了してから第２工程動画の再生が終了する順序となっており、第２順序が第１順序と異なっている。
【００６５】
算出部３１は、第２順序が第１順序と異なると判定した場合（ステップＳ２３でＹｅｓ）、重要シーンが第１再生倍率で再生され、第１工程動画及び第２工程動画の一方の工程動画に含まれる非重要シーンが第３再生倍率で再生されるケース（第２特殊再生のケースとも呼ぶ）の第１工程動画及び第２工程動画の再生が終了する順序が、第１順序と同じになる第３再生倍率を算出する（ステップＳ２４）。例えば、第１工程動画及び第２工程動画の一方の工程動画は、特殊再生（第１特殊再生）のケースにおいて他方の工程動画よりも再生が早く終了する工程動画であり、ここでは第１工程動画である。また、算出部３１は、第３再生倍率として、第２再生倍率よりも小さい倍率を算出する。つまり、算出部３１は、第２特殊再生のケースとして第１工程動画（一方の工程動画）に含まれる非重要シーンが第３再生倍率で再生されるケースの第１工程動画及び第２工程動画の再生が終了する順序が、第１順序と同じになる第３再生倍率を算出する。例えば、算出部３１は、第２特殊再生のケースにおいて、第１工程動画の再生が終了するタイミングが、第２工程動画の再生が終了するタイミングよりも後になる第３再生倍率を算出する。本実施の形態では、第２特殊再生のケースにおいて、第１工程動画の再生が終了するタイミングが、第２工程動画の再生が終了するタイミングの２秒後となるように、第３再生倍率として１．８倍が算出される。これにより、第２特殊再生のケースの第１工程動画の再生が終了するタイミングは、第１工程動画の再生が開始してから１７２秒後となり、第２工程動画の再生が終了するタイミングである１７０秒後よりも後のタイミングになる。
【００６６】
図５Ｂは、第１工程（１）の作業（３）の動画が第３再生倍率で再生されるケース（第２特殊再生のケース）の各動画の再生が終了する順序を説明するための図である。なお、第１工程（１）の作業（１）の重要シーンは第１再生倍率、第１工程（１）の作業（１）の非重要シーン及び第１工程（１）の作業（２）の非重要シーンは第２再生倍率で再生される。図５Ａに示される第１特殊再生のケースには第２順序が第１順序と異なることになり、献立を完成させるための各工程がどのタイミングで終わるのかがわかりにくくなるため、ユーザは、調理のイメージを認識することが難しくなる。一方、図５Ｂに示されるように、第２特殊再生のケースには第１工程動画に含まれる非重要シーンの再生速度が遅くなり、第１工程動画及び第２工程動画の再生が終了する順序が第１順序と同じになるため、ユーザは、調理のイメージを認識しやすくなる。なお、第１特殊再生のケースの第２順序が第１順序と異なる場合に、第１特殊再生のケースの第１工程動画及び第２工程動画の再生が終了する順序を第１順序と同じ順序にするためには、第１特殊再生のケースにおいて再生が早く終了する工程動画に含まれる非重要シーンの再生速度を遅くするか、又は、再生が遅く終了する工程動画に含まれる非重要シーンの再生速度を速くすることが考えられる。しかし、再生速度を速くした場合、動画の内容がわかりにくくなるおそれがある。そこで、再生が早く終了する工程動画に含まれる非重要シーンの再生速度を遅くすることで、再生が終了する順序を第１順序と同じにしつつ、動画の内容がわかりにくくなることを抑制できる。
【００６７】
一方、算出部３１は、第２順序が第１順序と同じと判定した場合（ステップＳ２３でＮｏ）、特殊再生（第１特殊再生）のケースの第１工程動画及び第２工程動画の一方の工程動画の再生が終了してから他方の工程動画の再生が終了するまでの間隔が、所定の時間よりも長いか否かを判定する（ステップＳ２５）。所定の時間は、一方の工程動画の再生が終了してから他方の工程動画の再生が終了するまでの時間が長くてユーザが不快に感じるような時間であるが、適宜決定されてもよい。
【００６８】
算出部３１は、当該間隔が、当該所定の時間よりも長いと判定した場合（ステップＳ２５でＹｅｓ）、重要シーンが第１再生倍率で再生され、第１工程動画及び第２工程動画の他方の工程動画（例えば第１工程動画）に含まれる非重要シーン（例えば作業（３）の動画）が第４再生倍率で再生されるケースにおいて、当該間隔が当該所定の時間よりも短くなる第４再生倍率を算出する（ステップＳ２６）。例えば、算出部３１は、当該間隔が当該所定の時間よりも短くなるように、第４再生倍率として、第２再生倍率よりも大きい倍率を算出する。
【００６９】
これにより、当該間隔が長い場合、当該間隔が所定の時間よりも短くなるように当該他方の工程動画に含まれる非重要シーンの再生速度が速くなるため、当該他方の工程動画の再生が終了するまでの待ち時間を短くすることができる。
【００７０】
算出部３１は、当該間隔が、当該所定の時間よりも短いと判定した場合（ステップＳ２５でＮｏ）、再生倍率の算出は行われない。
【００７１】
そして、並行調理メタ生成部３０は、並行調理動画メタデータを生成する（ステップＳ２７）。
【００７２】
例えば、第２順序が第１順序と異なり算出部３１が第３再生倍率を算出した場合には、並行調理メタ生成部３０は、並行調理動画メタデータとして、第１工程動画及び第２工程動画の一方の工程動画（ここでは第１工程動画）に含まれる非重要シーン（ここでは例えば作業（３）の動画）を第３再生倍率で再生させるためのメタデータを生成する。
【００７３】
また、例えば、第２順序が第１順序と同じであり算出部３１が第４再生倍率を算出した場合には、並行調理メタ生成部３０は、第１工程動画及び第２工程動画の他方の工程動画（ここでは第１工程動画）に含まれる非重要シーン（ここでは例えば作業（３）の動画）を第４再生倍率で再生させるためのメタデータを生成する。
【００７４】
また、並行調理メタ生成部３０は、レシピ単位メタ生成部２０が生成したレシピ単位メタデータに基づいて、並行調理動画メタデータとして、第１工程動画及び第２工程動画に含まれる重要シーンを第１再生倍率で再生させ、第１工程動画及び第２工程動画に含まれる非重要シーン（作業（３）の動画を除く）を第２再生倍率で再生させるためのメタデータを生成する。なお、算出部３１が再生倍率の算出を行わなかった場合には、レシピ単位メタ生成部２０が生成したレシピ単位メタデータに基づいて、並行調理動画メタデータとして、第１工程動画及び第２工程動画に含まれる重要シーンを第１再生倍率で再生させ、第１工程動画及び第２工程動画に含まれる非重要シーン（作業（３）の動画を含む）を第２再生倍率で再生させるためのメタデータを生成する。
【００７５】
このようにして、並行調理メタ生成部３０は、並行調理動画メタデータを生成する。
【００７６】
ところで、並行調理動画の再生中に、並行調理動画に含まれる複数のレシピ動画のうちの１つ動画が、ユーザによって一時停止されたり、再生位置が変更されたりすることがある。これについて、図５Ｃを用いて説明する。
【００７７】
図５Ｃは、第１工程（１）の動画がユーザにより一時停止又は再生位置の変更がされたときの各動画の再生が終了する順序を説明するための図である。
【００７８】
例えば、第１工程（１）の作業（１）又は作業（２）の動画の再生中に第１工程（１）の動画が一時停止された場合、並行調理メタ生成部３０は、第２工程（１）の動画の始まるタイミングが第１工程（１）の動画が一時停止された時間分遅くなるようにメタデータを生成し直す。また、第１工程（１）の作業（１）又は作業（２）の動画の再生中に第１工程（１）の動画の再生位置が変更された場合、並行調理メタ生成部３０は、第２工程（１）の動画の始まるタイミングが第１工程（１）の動画の再生位置が変更された時間分速く若しくは遅くなるようにメタデータを生成し直す。これにより、図５Ｃに示されるように、例えば、第１工程（１）の作業（３）の動画の開始とともに第２工程（１）の動画を開始することができる。
【００７９】
また、例えば、第１工程（１）の作業（３）の動画の再生中に第１工程（１）の動画が一時停止された場合、表示装置１００は、第１工程（１）の動画が一時停止されている間、第２工程（１）の動画を一時停止する。なお、表示装置１００は、第１工程（１）の動画が一時停止されていることを情報処理装置１０に送信し、情報処理装置１０が第２工程（１）の動画を一時停止するように表示装置１００に指示してもよい。また、第１工程（１）の作業（３）の動画の再生中に第１工程（１）の動画の再生位置が変更された場合、表示装置１００は、第１工程（１）の動画の再生位置が変更された時間、第１工程（１）の動画の再生倍率、及び、第２工程（１）の動画の再生倍率に応じて、第２工程（１）の動画の再生位置を変更する。なお、表示装置１００は、第１工程（１）の動画の再生位置が変更されたことを情報処理装置１０に送信し、情報処理装置１０が第１工程（１）の動画の再生位置が変更された時間、第１工程（１）の動画の再生倍率、及び、第２工程（１）の動画の再生倍率に応じて、第２工程（１）の動画の再生位置を変更するように表示装置１００に指示してもよい。これにより、第１工程（１）の動画がユーザにより一時停止又は再生位置の変更がされたときであっても、図５Ｃに示されるように、第１工程（１）の動画及び第２工程（１）の動画の再生する順序を第１順序と同じにすることができる。なお、第２工程（１）の動画がユーザにより一時停止又は再生位置の変更がされたときであっても、同様に、第１工程（１）の動画及び第２工程（１）の動画の再生する順序を第１順序と同じにすることができる。
【００８０】
［３．ユーザインタフェース］
次に、表示装置１００が備えるユーザインタフェースについて図６から図８を用いて説明する。表示装置１００は、ユーザによる操作を受け付けるユーザインタフェースを備える。当該ユーザインタフェースは、例えば、タッチパネルディスプレイにより実現されるが、マウス等の入力装置及びディスプレイにより実現されてもよい。
【００８１】
図６は、表示装置１００の表示画面２００の一例を示す図である。表示画面２００は、タッチパネルディスプレイに表示された画面である。表示画面２００には、例えば、並行調理動画再生画面２１０、第１レシピ動画再生画面としてのレシピ（Ａ）動画再生画面２２０、第２レシピ動画再生画面としてのレシピ（Ｂ）動画再生画面２３０及び開始・停止アイコン２４０が表示されている。
【００８２】
レシピ（Ａ）動画再生画面２２０には第１レシピ動画が表示され、レシピ（Ｂ）動画再生画面２３０には第２レシピ動画が表示される。また、並行調理動画再生画面２１０には、第１レシピ動画及び第２レシピ動画のうち、重要シーンが再生されている動画が表示される。なお、第１レシピ動画及び第２レシピ動画のうちの一方のみが再生されるときは、当該一方の動画が並行調理動画再生画面２１０に表示される。また、レシピ（Ａ）動画再生画面２２０及びレシピ（Ｂ）動画再生画面２３０は、操作（タップ）することが可能であり、並行調理動画再生画面２１０には、レシピ（Ａ）動画再生画面２２０及びレシピ動画（Ｂ）再生画面２３０のうちの操作された方が表示されてもよい。また、開始・停止アイコン２４０が操作（タップ）されることで、それぞれの画面において動画が再生される。例えば、第１レシピ動画の途中から第２レシピ動画が再生される場合、まず並行調理動画再生画面２１０及びレシピ（Ａ）動画再生画面２２０に第１レシピ動画が表示される。このとき、レシピ（Ｂ）動画再生画面２３０には、何も表示されなくてもよいし、「調理開始待ち」等と表示されてもよい。その後、レシピ（Ｂ）動画再生画面２３０に第２レシピ動画が表示され、並行調理動画再生画面２１０には重要シーンが再生されている動画が表示される。各動画の再生中に開始・停止アイコン２４０が操作されることで、各動画の再生が停止する。
【００８３】
なお、表示装置１００の表示画面２００は、図７Ａのような画面であってもよい。
【００８４】
図７Ａは、表示装置１００の表示画面２００の他の一例を示す図である。なお、並行調理動画再生画面２１０、レシピ（Ａ）動画再生画面２２０、レシピ（Ｂ）動画再生画面２３０及び開始・停止アイコン２４０については、図６に示すものと同じ機能を有するため、説明は省略する。
【００８５】
ユーザインタフェースは、第１工程動画の再生時に第１工程動画の再生倍率に応じて移動する第１アイコン２２１と、第２工程動画の再生時に第２工程動画の再生倍率に応じて移動する第２アイコン２３１と、を備えていてもよい。また、献立の現在の進行度合いに応じて移動する第３アイコン２１１を備えていてもよい。第１アイコン２２１及び第２アイコン２３１は、第１工程動画及び第２工程動画が並行して再生されている際に、同期して移動する。ここで、第１レシピ動画のあるシーンの途中から第２レシピ動画のあるシーンが並行して再生される場合について説明する。例えば、図７Ａに示されるように、第１レシピ動画のシーン３の途中から第２レシピ動画のシーン１が並行して再生されるとする。
【００８６】
第１レシピ動画のシーン３は、例えば、始めに等倍速で再生され、第２レシピ動画の再生が開始されると２倍速で再生されるとする。また、第２レシピ動画のシーン１は、全て等倍速で再生されるとする。まず、第１レシピ動画の再生が開始されると、第１アイコン２２１は、例えば左端から右へ移動し始める。このとき、第１アイコン２２１は、等倍速に応じた速さで移動する。次に、第２レシピ動画の再生が開始されると、第２アイコン２３１は、第１アイコン２２１と同期して、例えば左端から右へ移動し始める。このとき、第１アイコン２２１は、２倍速に応じた速さで移動し、第２アイコン２３１は、等倍速に応じた速さで移動する。
【００８７】
また、同期して移動している第１アイコン２２１及び第２アイコン２３１の一方のアイコンがユーザによる操作によって移動させられた場合、他方のアイコンは、ユーザによる操作によって移動させられた一方のアイコンの移動量、一方のアイコンに対応する工程動画の再生倍率及び他方のアイコンに対応する工程動画の再生倍率に応じた移動量分移動する。
【００８８】
図７Ｂは、ユーザによって操作されている表示画面２００の一例を示す図である。
【００８９】
図７Ｂに示されるように、例えば、第２アイコン２３１がユーザによって移動（バー移動）させられた場合、それに応じて第１アイコン２２１も移動する。このときの第１アイコン２２１は、第２アイコン２３１の移動量、第２アイコン２３１に対応する第２工程動画の再生倍率及び第１アイコン２２１に対応する第１工程動画の再生倍率に応じた移動量分移動する。具体的には、第２アイコン２３１の移動量及び第２工程動画の再生倍率（例えば１倍）に基づいて移動させられた時間が算出され、当該時間と第１工程動画の再生倍率（例えば２倍）に基づいて第１アイコン２２１の移動量が算出される。なお、図７Ｂに示されるように、第３アイコン２１１も第２アイコン２３１の移動に応じて移動してもよい。
【００９０】
このように、ユーザは、並行して再生されている第１レシピ動画及び第２レシピ動画の一方に対応するアイコンを操作することで、他方に対応するアイコンも操作することができる。
【００９１】
また、表示装置１００の表示画面２００は、図８のような画面であってもよい。
【００９２】
図８は、表示装置１００の表示画面２００の他の一例を示す図である。なお、並行調理動画再生画面２１０、レシピ（Ａ）動画再生画面２２０、レシピ（Ｂ）動画再生画面２３０、第１アイコン２２１及び第２アイコン２３１については、図７Ａに示すものと同じ機能を有するため、説明は省略する。ただし、第１アイコン２２１及び第２アイコン２３１は、図７Ａに示される例では、例えば、第１レシピ動画及び第２レシピ動画の再生に応じて下に動く。
【００９３】
表示画面２００には、例えば、第１レシピ及び第２レシピの説明が記載された説明画像２５０が表示されてもよい。これにより、ユーザは、レシピ動画を見ながら調理の説明を読むことができる。また、第１アイコン２２１及び第２アイコン２３１は、説明画像２５０上において、再生中のシーンに対応する説明文の隣を移動する。これにより、現在どのような工程が再生されているのかがわかりやすくなる。
【００９４】
以上説明したように、特殊再生（第１特殊再生）のケースに第２順序が第１順序と異なる場合には、第１工程動画及び第２工程動画の一方の工程動画に含まれる非重要シーンの再生倍率として第３再生倍率が算出される。第３再生倍率は、重要シーンが第１再生倍率で再生され、当該一方の工程動画に含まれる非重要シーンが第３再生倍率で再生されるケース（第２特殊再生のケース）の、第１工程動画及び第２工程動画の再生が終了する順序が第１順序と同じになる再生倍率である。つまり、第２特殊再生のケースの、第１工程動画及び第２工程動画の再生が終了する順序が第１順序と同じになるように当該一方の工程動画に含まれる非重要シーンの再生時間が調整される。これにより、ユーザは献立を完成させるための各工程がどのタイミングで終わるのかがわかりやすくなり、部分的に特殊再生が行われる並行調理動画において、調理のイメージを認識しやすくなる。
【００９５】
また、複数のレシピの組み合わせである献立は無数に存在するため、第２順序が第１順序と異なるか否かを判定し異なる場合に第３再生倍率を算出することを献立毎に手作業で行うのは手間が掛かるが、本開示では、情報処理装置によって自動で行うことができる。
【００９６】
（その他の実施の形態）
以上、本開示の情報処理装置及び情報処理システムについて、実施の形態に基づいて説明したが、本開示は、これらの実施の形態に限定されるものではない。本開示の趣旨を逸脱しない限り、当業者が思いつく各種変形を本実施の形態に施したもの、及び、異なる実施の形態における構成要素を組み合わせて構築される形態も、本開示の範囲内に含まれる。
【００９７】
例えば、上記実施の形態では、一方の工程動画は、特殊再生（第１特殊再生）のケースにおいて他方の工程動画よりも再生が早く終了する工程動画であり、算出部３１は、第３再生倍率として、第２再生倍率よりも小さい倍率を算出したが、これに限らない。例えば、一方の工程動画は、特殊再生（第１特殊再生）のケースにおいて他方の工程動画よりも再生が遅く終了する工程動画であってもよく、算出部３１は、第３再生倍率として、第２再生倍率よりも大きい倍率を算出してもよい。例えば、図５Ａを用いて説明すると、第２工程（１）動画に含まれる非重要シーンが第３再生倍率で再生されるケース（第２特殊再生のケース）の第１工程動画及び第２工程動画の再生が終了する順序が、第１順序と同じになる第３再生倍率を算出される。これにより、第２特殊再生のケースには第２工程動画に含まれる非重要シーンの再生速度が速くなり、第１工程動画及び第２工程動画の再生が終了する順序が第１順序と同じになるため、ユーザは、調理のイメージを認識しやすくなる。
【００９８】
また、例えば、上記実施の形態では、第１再生倍率は１倍であり、第２再生倍率は２倍であったが、これに限らない。例えば、重要シーンをよりわかりやすくするために、第１再生倍率は１倍未満であってもよい。また、第２再生倍率は、１〜２倍の間であってもよいし、非重要シーンをより短時間にするために、２倍以上であってもよい。また、情報処理装置１０は、表示装置１００でのユーザの操作履歴を取得することで、ユーザの好みの再生倍率を推定してもよく、推定結果に応じて第１再生倍率及び第２再生倍率を定めてもよい。例えば、情報処理装置１０は、ユーザの好み再生倍率が、重要シーンでは０．５倍で、非重要シーンでは３倍であることを推定した場合、第１再生倍率を０．５倍、第２再生倍率を３倍に定めてもよい。
【００９９】
また、例えば、上記実施の形態では、第３再生倍率で再生されるシーンは、工程動画の最後の非重要シーンであったが、工程動画の途中の非重要シーンであってもよい。
【０１００】
また、本開示は、情報処理装置として実現できるだけでなく、情報処理装置を構成する各構成要素が行うステップ（処理）を含む調理支援方法として実現できる。
【０１０１】
例えば、それらのステップは、コンピュータ（コンピュータシステム）によって実行されてもよい。そして、本開示は、それらの方法に含まれるステップを、コンピュータに実行させるためのプログラムとして実現できる。さらに、本開示は、そのプログラムを記録したＣＤ−ＲＯＭ等である非一時的なコンピュータ読み取り可能な記録媒体として実現できる。
【０１０２】
例えば、本開示が、プログラム（ソフトウェア）で実現される場合には、コンピュータのＣＰＵ、メモリおよび入出力回路等のハードウェア資源を利用してプログラムが実行されることによって、各ステップが実行される。つまり、ＣＰＵがデータをメモリまたは入出力回路等から取得して演算したり、演算結果をメモリまたは入出力回路等に出力したりすることによって、各ステップが実行される。
【０１０３】
また、上記実施の形態の情報処理装置に含まれる複数の構成要素は、それぞれ、専用または汎用の回路として実現されてもよい。これらの構成要素は、１つの回路として実現されてもよいし、複数の回路として実現されてもよい。
【０１０４】
また、上記実施の形態の情報処理装置に含まれる複数の構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。これらの構成要素は、個別に１チップ化されてもよいし、一部または全てを含むように１チップ化されてもよい。ＬＳＩは、集積度の違いにより、システムＬＳＩ、スーパーＬＳＩまたはウルトラＬＳＩと呼称される場合がある。
【０１０５】
また、集積回路はＬＳＩに限られず、専用回路または汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定が再構成可能なリコンフィギュラブル・プロセッサが、利用されてもよい。
【０１０６】
その他、実施の形態に対して当業者が思いつく各種変形を施して得られる形態や、本開示の趣旨を逸脱しない範囲で各実施の形態における構成要素及び機能を任意に組み合わせることで実現される形態も本開示に含まれる。
【産業上の利用可能性】
【０１０７】
本開示は、部分的に特殊再生が行われる並行調理動画を再生させるための装置に適用可能である。具体的には、テレビ、ＰＣ（Ｐｅｒｓｏｎａｌ  Ｃｏｍｐｕｔｅｒ）、携帯機器等の動画を再生する装置に本開示は適用可能である。
【符号の説明】
【０１０８】
１    情報処理システム
１０    情報処理装置
２０    レシピ単位メタ生成部
２１    第１取得部
２２    第２取得部
３０    並行調理メタ生成部
３１    算出部
３２    出力部
４０    献立・レシピ管理部
５０    レシピ動画管理部
６０、１４０    通信部
７０    レシピ情報ＤＢ
８０    レシピ動画ＤＢ
１００    表示装置
１１０    献立表示選択部
１２０    再生指示入力部
１３０    動画表示部
２００    表示画面
２１０    並行調理動画再生画面
２１１    第３アイコン
２２０    レシピ（Ａ）動画再生画面（第１レシピ動画再生画面）
２２１    第１アイコン
２３０    レシピ（Ｂ）動画再生画面（第２レシピ動画再生画面）
２３１    第２アイコン
２４０    開始・停止アイコン
２５０    説明画像
３００    ネットワーク
【図１】
2018196093.tif 000003
【図２】
2018196093.tif 000004
【図３】
2018196093.tif 000005
【図４Ａ】
2018196093.tif 000006
【図４Ｂ】
2018196093.tif 000007
【図４Ｃ】
2018196093.tif 000008
【図５Ａ】
2018196093.tif 000009
【図５Ｂ】
2018196093.tif 000010
【図５Ｃ】
2018196093.tif 000011
【図６】
2018196093.tif 000012
【図７Ａ】
2018196093.tif 000013
【図７Ｂ】
2018196093.tif 000014
【図８】
2018196093.tif 000015